(57)【要約】【課題】映像コンテンツの視聴者にCMを確実に見せることができるようにする。【解決手段】所定の映像コンテンツの再生がユーザにより指示されたとき、その映像コンテンツに重畳して表示させるCMや、CMの表示のさせ方（重畳方式）が、記憶装置１５に記憶されている指定情報に基づいてフロントエンド１４により判断される。フロントエンド１４においては、指定情報により指定される重畳方式にしたがって、映像コンテンツを構成する所定のタイミングのフレームの所定の位置にCMのデータが合成され、合成された映像コンテンツが表示データとしてバックエンド１６に出力される。バックエンド１６においては、フロントエンド１４から供給された表示データに基づいて映像コンテンツの表示が行われる。本発明は、放送された映像コンテンツをディスプレイに表示させる機器などに適用することができる。【選択図】図１
2007150946.tif 000002
【特許請求の範囲】
【請求項１】
表示制御装置と、前記表示制御装置に対して指定情報を提供する提供装置とからなる表示システムにおいて、
前記表示制御装置は、
映像コンテンツに重ねて表示させるCMと、CMの重畳方式を指定する前記指定情報を取得する第１の取得手段と、
前記第１の取得手段により取得された前記指定情報に基づいて、所定の映像コンテンツに重ねて表示させるCMを識別し、識別したCMを表示させるためのCMデータを取得する第２の取得手段と、
前記第２の取得手段により取得された前記CMデータにより表示されるCMを、前記指定情報により指定される重畳方式にしたがって、前記所定の映像コンテンツに重ねて表示させる表示制御手段と
を備え、
前記提供装置は、
前記指定情報を生成する生成手段と、
前記生成手段により生成された前記指定情報を前記表示制御装置に提供する提供手段と
を備える表示システム。
【請求項２】
映像コンテンツに重ねて表示させるCMと、CMの重畳方式を指定する指定情報を取得する第１の取得手段と、
前記第１の取得手段により取得された前記指定情報に基づいて、所定の映像コンテンツに重ねて表示させるCMを識別し、識別したCMを表示させるためのCMデータを取得する第２の取得手段と、
前記第２の取得手段により取得された前記CMデータにより表示されるCMを、前記指定情報により指定される重畳方式にしたがって、前記所定の映像コンテンツに重ねて表示させる表示制御手段と
を備える表示制御装置。
【請求項３】
前記第１の取得手段は、前記指定情報を映像コンテンツとともに取得する
請求項２に記載の表示制御装置。
【請求項４】
CMデータを記憶する記憶手段をさらに備え、
前記第２の取得手段は、前記記憶手段により記憶されているCMデータの中から、前記指定情報に基づいて識別したCMを表示させるためのCMデータを取得する
請求項２に記載の表示制御装置。
【請求項５】
映像コンテンツを視聴するユーザに関する情報の入力を受け付ける受付手段をさらに備え、
前記第２の取得手段は、CMの対象とするユーザを表す情報が属性情報としてCMデータに含まれている場合、前記受付手段により受け付けられた情報を入力したユーザを対象とするCMを表示させるためのCMデータを取得する
請求項２に記載の表示制御装置。
【請求項６】
前記表示制御手段は、前記所定の映像コンテンツの表示画面の所定の位置にCMを重ねて表示させる
請求項２に記載の表示制御装置。
【請求項７】
前記表示制御手段は、前記所定の映像コンテンツのシーンの切り替わりのタイミングでCMを重ねて表示させる
請求項２に記載の表示制御装置。
【請求項８】
映像コンテンツに重ねて表示させるCMと、CMの重畳方式を指定する指定情報を取得し、
取得した前記指定情報に基づいて、所定の映像コンテンツに重ねて表示させるCMを識別して、識別したCMを表示させるためのCMデータを取得し、
取得した前記CMデータにより表示されるCMを、前記指定情報により指定される重畳方式にしたがって、前記所定の映像コンテンツに重ねて表示させる
ステップを含む表示制御方法。
【請求項９】
映像コンテンツに重ねて表示させるCMと、CMの重畳方式を指定する指定情報を取得し、
取得した前記指定情報に基づいて、所定の映像コンテンツに重ねて表示させるCMを識別して、識別したCMを表示させるためのCMデータを取得し、
取得した前記CMデータにより表示されるCMを、前記指定情報により指定される重畳方式にしたがって、前記所定の映像コンテンツに重ねて表示させる
ステップを含む処理をコンピュータに実行させるプログラム。
【請求項１０】
映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させる表示制御装置に対して前記指定情報を提供する提供装置において、
前記指定情報を生成する生成手段と、
前記生成手段により生成された前記指定情報を前記表示制御装置に提供する提供手段と
を備える提供装置。
【請求項１１】
映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させる表示制御装置に対する前記指定情報の提供方法において、
前記指定情報を生成し、
生成した前記指定情報を前記表示制御装置に提供する
ステップを含む提供方法。
【請求項１２】
映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させる表示制御装置に対する前記指定情報の提供処理をコンピュータに実行させるプログラムにおいて、
前記指定情報を生成し、
生成した前記指定情報を前記表示制御装置に提供する
ステップを含むプログラム。
【発明の詳細な説明】
【技術分野】
【０００１】
本発明は、表示システム、表示制御装置および方法、提供装置および方法、並びにプログラムに関し、特に、映像コンテンツの視聴者にCMを確実に見せることができるようにした表示システム、表示制御装置および方法、提供装置および方法、並びにプログラムに関する。
【背景技術】
【０００２】
従来のテレビジョン放送において、CMは、放送される映像コンテンツと映像コンテンツの間に挿入される形で視聴者に提供されている。放送事業者側はCMを放送する対価としてCMの依頼者である企業などから収入を得て、それを番組（映像コンテンツ）の制作費に充てるなどしてビジネスモデルが成り立っている。
【０００３】
ところで、近年、ハードディスクレコーダなどの録画機器が普及してきており、録画機器に搭載されているジャンプ機能などの特殊な再生機能が、そのビジネスモデルを維持する上で問題視されている。
【０００４】
ここで、ジャンプ機能は、録画した映像コンテンツの再生位置を数十秒などの所定の単位で早送りする機能であり、視聴者は、CMが開始されるタイミングでジャンプ機能を利用することによって、CMを飛ばして、録画しておいた映像コンテンツのみを簡単に視聴することができる。
【０００５】
そこで、視聴者にCMをなるべく見せようとするための技術が各種提案されている。
【０００６】
例えば、既に実現されている技術としては、プロ野球中継で選手の背景となるバックネットやフェンスの部分に企業のロゴなどを放送側で合成して放送するような技術がある。
【０００７】
また、特許文献１には、CMデータだけをハードディスクなどの記憶装置に蓄積させておき、映像コンテンツを視聴する前に、視聴者であるユーザにCMの挿入量を選択させ、ユーザにより選択された量のCMが挿入された形で映像コンテンツの再生を行う再生装置が開示されている。この再生装置においてはCMの挿入量に応じて映像コンテンツの視聴料金が決定されるため、より多くのCMの視聴をユーザに促すことができるようになされている。
【特許文献１】特開２００４−８８６３０号公報
【発明の開示】
【発明が解決しようとする課題】
【０００８】
しかしながら、上述したようにして映像コンテンツの所定の位置に企業のロゴなどを合成して放送する場合、CMの合成を放送事業者側で行うため、それが煩雑であり、また、全ての視聴者に対して同じCMが提供されるため、映像コンテンツと映像コンテンツの間に挿入される形で提供される従来の提供方法と較べて、提供できるCMの種類がほとんど変わらない。つまり、放送事業者側で合成した同じCMが、映像コンテンツの視聴者全員に提供されることになる。
【０００９】
また、プロ野球中継を見ている視聴者の視線はなかなかバックネットやフェンスの部分に向けられないことから、CM効果が薄く、放送事業者側とすれば、十分な広告収入を企業から受けられないという問題もある。
【００１０】
一方、特許文献１に開示されている技術によれば、CMが映像コンテンツと別に管理されているため、視聴者毎に異なるCMを提供するといったことも可能であるが、CMを見るか見ないかは視聴者の自主的な選択によるため、視聴者にCMを確実に見せるといったことは実現できない。
【００１１】
本発明はこのような状況に鑑みてなされたものであり、例えば、映像コンテンツの視聴者にCMを確実に見せることができるようにするものである。
【課題を解決するための手段】
【００１２】
本発明の第１の側面の表示システムは、表示制御装置と、前記表示制御装置に対して指定情報を提供する提供装置とからなる表示システムにおいて、前記表示制御装置は、映像コンテンツに重ねて表示させるCMと、CMの重畳方式を指定する前記指定情報を取得する第１の取得手段と、前記第１の取得手段により取得された前記指定情報に基づいて、所定の映像コンテンツに重ねて表示させるCMを識別し、識別したCMを表示させるためのCMデータを取得する第２の取得手段と、前記第２の取得手段により取得された前記CMデータにより表示されるCMを、前記指定情報により指定される重畳方式にしたがって、前記所定の映像コンテンツに重ねて表示させる表示制御手段とを備え、前記提供装置は、前記指定情報を生成する生成手段と、前記生成手段により生成された前記指定情報を前記表示制御装置に提供する提供手段とを備える。
【００１３】
本発明の第２の側面の表示制御装置は、映像コンテンツに重ねて表示させるCMと、CMの重畳方式を指定する指定情報を取得する第１の取得手段と、前記第１の取得手段により取得された前記指定情報に基づいて、所定の映像コンテンツに重ねて表示させるCMを識別し、識別したCMを表示させるためのCMデータを取得する第２の取得手段と、前記第２の取得手段により取得された前記CMデータにより表示されるCMを、前記指定情報により指定される重畳方式にしたがって、前記所定の映像コンテンツに重ねて表示させる表示制御手段とを備える。
【００１４】
前記第１の取得手段には、前記指定情報を映像コンテンツとともに取得させることができる。
【００１５】
CMデータを記憶する記憶手段をさらに設けることができる。この場合、前記第２の取得手段には、前記記憶手段により記憶されているCMデータの中から、前記指定情報に基づいて識別したCMを表示させるためのCMデータを取得させることができる。
【００１６】
映像コンテンツを視聴するユーザに関する情報の入力を受け付ける受付手段をさらに設けることができる。この場合、前記第２の取得手段には、CMの対象とするユーザを表す情報が属性情報としてCMデータに含まれている場合、前記受付手段により受け付けられた情報を入力したユーザを対象とするCMを表示させるためのCMデータを取得させることができる。
【００１７】
前記表示制御手段には、前記所定の映像コンテンツの表示画面の所定の位置にCMを重ねて表示させることができる。
【００１８】
前記表示制御手段には、前記所定の映像コンテンツのシーンの切り替わりのタイミングでCMを重ねて表示させることができる。
【００１９】
本発明の第２の側面の表示制御方法は、映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させるステップを含む。
【００２０】
本発明の第２の側面のプログラムは、映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させるステップを含む処理をコンピュータに実行させる。
【００２１】
本発明の第３の側面の提供装置は、映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させる表示制御装置に対して前記指定情報を提供する提供装置において、前記指定情報を生成する生成手段と、前記生成手段により生成された前記指定情報を前記表示制御装置に提供する提供手段とを備える。
【００２２】
本発明の第３の側面の提供方法は、映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させる表示制御装置に対する前記指定情報の提供方法において、前記指定情報を生成し、生成した前記指定情報を前記表示制御装置に提供するステップを含む。
【００２３】
本発明の第３の側面のプログラムは、映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させる表示制御装置に対する前記指定情報の提供処理をコンピュータに実行させるプログラムにおいて、前記指定情報を生成し、生成した前記指定情報を前記表示制御装置に提供するステップを含む。
【００２４】
本発明の第１の側面においては、表示制御装置により、映像コンテンツに重ねて表示させるCMと、CMの重畳方式を指定する指定情報が取得され、取得された指定情報に基づいて、所定の映像コンテンツに重ねて表示させるCMが識別され、識別されたCMを表示させるためのCMデータが取得される。また、取得されたCMデータにより表示されるCMが、指定情報により指定される重畳方式にしたがって、所定の映像コンテンツに重ねて表示される。また、提供装置により指定情報が生成され、生成された指定情報が表示制御装置に提供される。
【００２５】
本発明の第２の側面においては、映像コンテンツに重ねて表示させるCMと、CMの重畳方式を指定する指定情報が取得され、取得された指定情報に基づいて、所定の映像コンテンツに重ねて表示させるCMが識別され、識別されたCMを表示させるためのCMデータが取得される。また、取得されたCMデータにより表示されるCMが、指定情報により指定される重畳方式にしたがって、所定の映像コンテンツに重ねて表示される。
【００２６】
本発明の第３の側面においては、指定情報が生成され、生成された指定情報が表示制御装置に提供される。
【発明の効果】
【００２７】
本発明によれば、映像コンテンツの視聴者にCMを確実に見せることができる。
【発明を実施するための最良の形態】
【００２８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００２９】
本発明の第１の側面の表示制御システム（例えば、図７のシステム）は、表示制御装置（例えば、図１の表示制御装置１）と、前記表示制御装置に対して指定情報を提供する提供装置（例えば、図７の提供装置５２）とからなる表示システムにおいて、前記表示制御装置は、映像コンテンツに重ねて表示させるCMと、CMの重畳方式（例えば、重ねて表示させるタイミング、画面内の表示位置）を指定する前記指定情報を取得する第１の取得手段（例えば、図２の指定情報取得部２１）と、前記第１の取得手段により取得された前記指定情報に基づいて、所定の映像コンテンツに重ねて表示させるCMを識別し、識別したCMを表示させるためのCMデータを取得する第２の取得手段（例えば、図２のCMデータ取得部２２）と、前記第２の取得手段により取得された前記CMデータにより表示されるCMを、前記指定情報により指定される重畳方式にしたがって、前記所定の映像コンテンツに重ねて表示させる表示制御手段（例えば、図２の表示データ生成部２４）とを備え、前記提供装置は、前記指定情報を生成する生成手段（例えば、図１０の指定情報生成部８１）と、前記生成手段により生成された前記指定情報を前記表示制御装置に提供する提供手段（例えば、図１０の提供部８２）とを備える。
【００３０】
本発明の第２の側面の表示制御装置（例えば、図１の表示制御装置１）は、映像コンテンツに重ねて表示させるCMと、CMの重畳方式（例えば、重ねて表示させるタイミング、画面内の表示位置）を指定する指定情報を取得する第１の取得手段（例えば、図２の指定情報取得部２１）と、前記第１の取得手段により取得された前記指定情報に基づいて、所定の映像コンテンツに重ねて表示させるCMを識別し、識別したCMを表示させるためのCMデータを取得する第２の取得手段（例えば、図２のCMデータ取得部２２）と、前記第２の取得手段により取得された前記CMデータにより表示されるCMを、前記指定情報により指定される重畳方式にしたがって、前記所定の映像コンテンツに重ねて表示させる表示制御手段（例えば、図２の表示データ生成部２４）とを備える。
【００３１】
この表示制御装置には、CMデータを記憶する記憶手段（例えば、図２のDB２３）をさらに設けることができる。
【００３２】
また、表示制御装置には、映像コンテンツを視聴するユーザに関する情報（例えば、性別、年齢）の入力を受け付ける受付手段（例えば、図２の受付部２５）をさらに設けることができる。
【００３３】
本発明の第２の側面の表示制御方法、またはプログラムは、映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させるステップ（例えば、図６のステップＳ５）を含む。
【００３４】
本発明の第３の側面の提供装置は、映像コンテンツに重ねて表示させるCMと、CMの重畳方式を指定する指定情報を取得し、取得した前記指定情報に基づいて、所定の映像コンテンツに重ねて表示させるCMを識別して、識別したCMを表示させるためのCMデータを取得し、取得した前記CMデータにより表示されるCMを、前記指定情報により指定される重畳方式にしたがって、前記所定の映像コンテンツに重ねて表示させる表示制御装置（例えば、図１の表示制御装置１）に対して前記指定情報を提供する提供装置（例えば、図７の提供装置５２）において、前記指定情報を生成する生成手段（例えば、図１０の指定情報生成部８１）と、前記生成手段により生成された前記指定情報を前記表示制御装置に提供する提供手段（例えば、図１０の提供部８２）とを備える。
【００３５】
本発明の第３の側面の表示制御方法、またはプログラムは、前記指定情報を生成し、生成した前記指定情報を前記表示制御装置に提供するステップ（例えば、図１１のステップＳ１２）を含む。
【００３６】
以下、本発明の実施の形態について図を参照して説明する。
【００３７】
図１は、本発明の一実施形態に係る表示制御装置のハードウエア構成例を示すブロック図である。
【００３８】
表示制御装置１は、チューナ１１、外部機器I/F１２、ネットワークI/F１３、フロントエンド１４、記憶装置１５、およびバックエンド１６から構成され、インターネットなどよりなるネットワーク４に接続される。表示制御装置１には、LCD(Liquid Crystal Display)などよりなるディスプレイ２、アンテナ３が接続される。また、表示制御装置１には、録画機器やDVD(Digital Versatile Disc)プレーヤなどの、映像コンテンツを表示制御装置１に対して出力する装置（図示せず）も接続される。
【００３９】
チューナ１１は、フロントエンド１４による制御にしたがってアンテナ３からの放送信号を受信、復調し、所定のチャンネルで放送されるトランスポートストリーム（TS）をフロントエンド１４に出力する。
【００４０】
TSには、テレビジョン番組や映画などの複数の映像コンテンツの他に、それぞれの映像コンテンツをディスプレイ２に表示させるときに、それに重畳して表示させるCMを指定したり、CMの表示のさせ方を指定したりする情報である指定情報が含まれる。また、TSには、映像コンテンツに重畳して表示させるCMのデータなども含まれる。指定情報や、それによる指定にしたがって行われるCMの表示については後述する。
【００４１】
外部機器I/F１２は、録画機器やDVDプレーヤなどの機器（以下、外部機器という）からデジタル入力として供給される映像コンテンツを受信し、それをフロントエンド１４に出力する。
【００４２】
ネットワークI/F１３は、ネットワーク４に接続される所定のサーバから送信される、映像コンテンツや指定情報、CMデータを受信し、それらをフロントエンド１４に出力する。
【００４３】
フロントエンド１４は、チューナ１１から供給されたTSに施されているスクランブルを解くデスクランブラや、デスクランブラによりスクランブルが解かれたTSから所定のストリームを抽出するデマルチプレクサなどより構成され、それらの構成によって取得された映像コンテンツを記憶装置１５に記憶（録画）させたり、バックエンド１６を制御してディスプレイ２に表示させたりする。フロントエンド１４に対しては、どの映像コンテンツを再生してディスプレイ２に表示させるのかを表す情報などが、例えばリモートコントローラを用いたユーザ操作に応じて入力される。
【００４４】
また、フロントエンド１４は、所定のストリームから取得されたCMデータや指定情報を記憶装置１５に記憶させて管理する。
【００４５】
フロントエンド１４は、外部機器I/F１２を介して外部機器から供給された映像コンテンツや、ネットワークI/F１３において受信され、ネットワークI/F１３から供給されたデータに対しても同様の処理を行う。すなわち、フロントエンド１４は、取得された映像コンテンツをディスプレイ２に表示させたり、記憶装置１５に記憶させたりする。また、フロントエンド１４は、ネットワークI/F１３から供給されたCMデータや指定情報を記憶装置１５に記憶させて管理する。
【００４６】
例えば、フロントエンド１４は、放送された映像コンテンツや記憶装置１５に一度記憶させた映像コンテンツなどの所定の映像コンテンツの再生がユーザにより指示されたとき、その映像コンテンツに重畳して表示させるCMや、CMの表示のさせ方（以下、重畳方式という）を、記憶装置１５に記憶させて管理する指定情報に基づいて判断し、指定情報により指定される重畳方式にしたがってCMが重畳された形で表示されるように映像コンテンツの再生をバックエンド１６に行わせる。
【００４７】
具体的には、フロントエンド１４は、指定情報により指定される重畳方式にしたがって、映像コンテンツを構成する所定のタイミングのフレームの所定の位置にCMのデータを合成し、合成した映像コンテンツをバックエンド１６に出力して再生させる。これにより、ディスプレイ２には、指定情報により指定されるタイミング、位置に、指定されたCMが重畳された形で映像コンテンツが表示される。映像コンテンツに重畳させるCMのデータは、記憶装置１５から読み出されて用いられる。
【００４８】
記憶装置１５はHDD(Hard Disk Drive)などより構成され、フロントエンド１４から供給された映像コンテンツ、CMデータ、指定情報を記憶する。記憶装置１５に記憶された情報はフロントエンド１４により適宜読み出される。
【００４９】
バックエンド１６はデコーダやD/A(Digital/Analog)変換を行う回路などで構成される。バックエンド１６は、フロントエンド１４から供給された映像コンテンツに対してデコード処理、D/A変換処理などを施し、得られた映像コンテンツをディスプレイ２に表示させる。
【００５０】
図２は、表示制御装置１の機能構成例を示すブロック図である。図２に示す機能部のうちの少なくとも一部は、図１のフロントエンド１４により所定のプログラムが実行されることによって実現される。
【００５１】
図２に示されるように、表示制御装置１においては、指定情報取得部２１、CMデータ取得部２２、DB２３、表示データ生成部２４、および受付部２５が実現される。
【００５２】
指定情報取得部２１は、映像コンテンツ毎に用意される指定情報を、デマルチプレクサにより抽出されたストリームから、あるいは、所定のサーバから送信され、ネットワーク４を介してネットワークI/F１３において受信された情報から取得し、取得した指定情報をDB２３に記憶させる。例えば、記憶装置１５に記憶された映像コンテンツや、チューナ１１により受信された映像コンテンツに関する指定情報などが指定情報取得部２１により取得される。
【００５３】
図３は、指定情報取得部２１により取得され、DB２３に記憶される指定情報の例を示す図である。
【００５４】
指定情報には、コンテンツID、CMID、重畳方式が記述される。
【００５５】
コンテンツIDは、この指定情報に記述される内容が、どの映像コンテンツに関するものであるのかを表す情報である。映像コンテンツの再生が指示されたとき、その映像コンテンツに設定されているコンテンツIDと同じコンテンツIDが記述される指定情報が、CMの表示に用いられる。
【００５６】
CMIDは、映像コンテンツに重畳して表示させるCMを指定する情報である。すなわち、それぞれのCMにはCMIDが設定されており、このCMIDにより、再生が指示された映像コンテンツに重畳させるCMが識別される。
【００５７】
ここで、CMには、映像（動画）と音声によって企業、商品、サービスなどを紹介するものの他に、それらを文字だけで説明するものや、ロゴ、写真などの静止画で表示するものも含まれる。
【００５８】
重畳方式は、例えば、CMIDで識別されるCMを、映像コンテンツのどのタイミングで、表示画面上のどの位置に表示するのかを指定する情報である。重畳方式は、例えば、それぞれの映像コンテンツを見て、重畳方式を決定するCMの管理者によって指定情報に記述される。
【００５９】
このような情報が記述される指定情報が映像コンテンツ毎に用意され、表示制御装置１の指定情報取得部２１により取得される。
【００６０】
図２の説明に戻り、CMデータ取得部２２は、デマルチプレクサにより抽出されたストリームから、あるいは、所定のサーバから送信され、ネットワーク４を介してネットワークI/F１３において受信された情報からCMデータを取得し、取得したCMデータを所定のフォーマットのデータに変換してDB２３に記憶させる。このように、表示制御装置１においては、映像コンテンツとCMデータは分離して管理される。
【００６１】
DB２３は、指定情報取得部２１から供給された指定情報と、CMデータ取得部２２から供給されたCMデータを記憶する。
【００６２】
表示データ生成部２４は、映像コンテンツの再生がユーザにより指示されたとき、再生が指示された映像コンテンツを、記憶装置１５に記憶させている映像コンテンツやチューナ１１から供給されたTSに多重化されている映像コンテンツの中から取得し、取得した映像コンテンツのコンテンツIDを参照して、同じコンテンツIDが記述される、その映像コンテンツに関する指定情報をDB２３から読み出す。
【００６３】
また、表示データ生成部２４は、指定情報に記述されるCMIDにより識別されるCMのデータをDB２３から読み出し、指定情報に記述される重畳方式により指定されるタイミングで、指定される位置にCMが表示されるように、DB２３から読み出したCMデータを、再生が指示された映像コンテンツに合成する。表示データ生成部２４は、CMデータを合成することによって得られた映像コンテンツを表示データとしてバックエンド１６に出力し、表示させる。
【００６４】
さらに、表示データ生成部２４は、DB２３から取得した指定情報の属性情報として、それぞれのCMの対象となるユーザを指定する情報が含まれている場合、適宜、属性情報と、映像コンテンツの視聴者であるユーザにより入力されたユーザ情報に基づいて、そのユーザを対象とするCMのデータをDB２３から取得して映像コンテンツに合成する。
【００６５】
例えば、ユーザが男性である場合にはCM（Ａ）を表示させる、ユーザが女性である場合にはCM（Ｂ）を表示させる、ユーザの年齢が１０代の場合にはCM（Ｃ）を表示させる、ユーザの年齢が２０代の場合にはCM（Ｄ）を表示させる、などのように、CMの対象ユーザが属性情報により指定される。ユーザにより入力されたユーザ情報や、再生する映像コンテンツを指定する情報などは、受付部２５から表示データ生成部２４に対して供給される。
【００６６】
受付部２５は、リモートコントローラなどを用いて行われるユーザ操作に応じて、再生する映像コンテンツの指定や、ユーザ情報の入力を受け付け、受け付けた情報を表示データ生成部２４に出力する。例えば、ユーザの性別、年齢、視聴地域などがユーザ情報として入力され、映像コンテンツに重畳して表示させるCMの選択に用いられる。
【００６７】
図４は、映像コンテンツの表示画面の例を示す図である。図４に示されるCMの重畳方式は、表示画面の隅に、映像コンテンツに重畳させて文字CMを所定の時間だけ表示させる方式である。
【００６８】
図４に示されるように、例えば、ディスプレイ２のほぼ全面には、ユーザにより再生が指示された映像コンテンツ（映像コンテンツの再生画像）が表示される。図４の例においては、画面の右下にCM表示領域３１が形成されており、CM表示領域３１には「SOMY  テレビプラビア」の文字がCMとして表示されている。
【００６９】
CM表示領域３１に表示されている「SOMY  テレビプラビア」の文字は、図４の画面に表示されている映像コンテンツのコンテンツIDが記述される指定情報と同じ指定情報にCMIDが記述されるCMのデータに基づいて表示されるものである。また、画面上のCM表示領域３１の位置と、「SOMY  テレビプラビア」の文字が表示されるタイミングは、指定情報に記述される重畳方式によって指定されるものである。
【００７０】
図５は、映像コンテンツの表示画面の他の例を示す図である。図５に示されるCMの重畳方式は、表示画面の下方に、映像コンテンツに重畳させてテロップのように文字CMを表示させる方式である。
【００７１】
図５の表示画面の例においては、ユーザにより再生が指示された映像コンテンツが画面のほぼ全面に表示され、画面の下方の位置に映像コンテンツに重畳して形成される帯状のCM表示領域３１には、「SOMY  テレビ  プラビア  新発売」の文字がCMとして表示されている。
【００７２】
CM表示領域３１に表示されている「SOMY  テレビ  プラビア  新発売」の文字は、図５の画面に表示されている映像コンテンツのコンテンツIDが記述される指定情報と同じ指定情報にCMIDが記述されるCMのデータに基づいて表示されるものである。また、画面上のCM表示領域３１の位置と、「SOMY  テレビ  プラビア  新発売」の文字が表示されるタイミングは、指定情報に記述される重畳方式によって指定されるものである。
【００７３】
図５のCM表示領域３１に表示されている文字が例えば右から左方向に移動しながら表示され、順次、ユーザに提示されるCMの内容が切り替えられるようにしてもよい。
【００７４】
このように、様々なパターンの重畳方式が指定情報により指定される。例えば、映像コンテンツのシーンの切り替わりのときに表示される黒画に重畳させてCMが表示されるようにしてもよいし、図４に示されるような画面の右下ではなく、プロ野球中継のバックネットの看板の位置に重畳してCMが表示されるように、映像コンテンツ内の所定の位置にCMが重畳して表示されるようにしてもよい。映像コンテンツのシーンの切り替わりのときにCMを重畳して表示させる場合、シーンの切り替わりのタイミングがCMの表示タイミングとして指定情報により指定される。
【００７５】
次に、図６のフローチャートを参照して、表示制御装置１の処理について説明する。
【００７６】
この処理は、例えば、映像コンテンツの再生がユーザにより指示されたときに開始される。処理の開始前、DB２３には、例えば、デマルチプレクサにより抽出されたストリームから取得された指定情報やCMデータが記憶されている。
【００７７】
ステップＳ１において、表示データ生成部２４は、再生が指示された映像コンテンツを取得するとともに、取得した映像コンテンツのコンテンツIDを参照し、その映像コンテンツに関する指定情報をDB２３から読み出して取得する。
【００７８】
表示データ生成部２４は、ステップＳ２において、DB２３から読み出した指定情報に記述されるCMIDに基づいて、映像コンテンツに重畳して表示させるCMを確認し、ステップＳ３に進み、確認したCMのデータをDB２３から読み出して取得する。
【００７９】
CMデータの取得の際には、適宜、属性情報により指定される対象とするユーザの情報や、ユーザによりあらかじめ入力されたユーザ情報も参照され、映像コンテンツを視聴しようとするユーザを対象とするCMが取得される。
【００８０】
ステップＳ４において、表示データ生成部２４は、DB２３から読み出した指定情報に記述される重畳方式により指定される方式でCMが表示されるように、再生が指示された映像コンテンツにCMデータを合成することによって表示データを生成する。生成された表示データはバックエンド１６に出力される。
【００８１】
ステップＳ５において、バックエンド１６は、表示データ生成部２４から供給された表示データに基づいて、CMが重畳された映像コンテンツをディスプレイ２に表示させる。そして、映像コンテンツの再生の終了が指示されるまで、指定情報に基づくCMの表示は続けられる。
【００８２】
このように、映像コンテンツの受信機側である表示制御装置１によりCMの合成が行われるため、放送事業者側は、CMの合成を行ってから映像コンテンツを放送するといった手間を省くことができる。
【００８３】
また、放送事業者側は、重畳して表示させるCMを表示制御装置１に選択させることができるため、指定情報で指定するCMを変えることによって、提供可能なCMの種類を増やすことができる。すなわち、CMがあらかじめ合成された形で映像コンテンツが放送される場合、合成された同じCMが映像コンテンツの視聴者全員に提供されることになるが、例えば、指定するCMを視聴者毎に変えることによって、視聴者毎に、異なる種類のCMを見せることができる。
【００８４】
さらに、放送事業者側は、様々なパターンの重畳方式を映像コンテンツに応じて容易に指定することができ、また、属性情報を設定することによって、映像コンテンツを視聴しているユーザに応じてそのユーザを対象とするCMを表示させることができるため、CM効果の向上を図ることが可能となり、CMの依頼者である企業などから広告収入を得ることができる。
【００８５】
また、CMの見る／見ないをユーザに選択させるわけではないから、確実に、CMを見せることができる。
【００８６】
次に、指定情報を表示制御装置１に対して提供する提供装置について説明する。
【００８７】
図７、図８は、提供装置５２を含むシステム構成の例を示す図である。
【００８８】
図７は、放送装置５１から放送される映像コンテンツとともにTSに多重化されて指定情報が提供されるシステムの構成例を示す図である。
【００８９】
この場合、図７に示されるように、提供装置５２は、放送事業者により管理される放送装置５１に接続され、管理者による入力に応じて生成した指定情報を放送装置５１に出力する。放送装置５１は、提供装置５２から供給された指定情報を、映像コンテンツとともに多重化して、得られたTSを放送波によって搬送する。TSには、適宜、CMデータも含まれる。
【００９０】
表示制御装置１においては放送装置５１からの放送波が受信され、映像コンテンツ、指定情報、CMデータが上述したようにして用いられる。
【００９１】
図８は、ネットワーク４を介して指定情報が提供されるシステムの構成例を示す図である。
【００９２】
この場合、図８に示されるように、提供装置５２はネットワーク４に接続され、管理者による入力に応じて生成した指定情報を、ネットワーク４を介して表示制御装置１に送信する。
【００９３】
映像コンテンツ、CMデータは放送波によって放送装置５１から表示制御装置１に対して提供されており、提供装置５２から送信された指定情報を受信した表示制御装置１においては、図７の構成の場合と同様に、映像コンテンツ、指定情報、CMデータが各種の処理に用いられる。
【００９４】
図９は、図７（図８）の提供装置５２のハードウエア構成例を示すブロック図である。
【００９５】
CPU(Central Processing Unit)６１は、ROM(Read Only Memory)６２、または記憶部６８に記憶されているプログラムに従って各種の処理を実行する。RAM(Random Access Memory)６３には、CPU６１が実行するプログラムやデータなどが適宜記憶される。これらのCPU６１、ROM６２、およびRAM６３は、バス６４により相互に接続されている。
【００９６】
CPU６１にはまた、バス６４を介して入出力インターフェース６５が接続されている。入出力インターフェース６５には、キーボード、マウス、マイクロホンなどよりなる入力部６６、ディスプレイ、スピーカなどよりなる出力部６７が接続されている。CPU６１は、入力部６６から入力される指令に対応して各種の処理を実行する。
【００９７】
入出力インターフェース６５に接続されている記憶部６８は、例えばハードディスクからなり、CPU６１が実行するプログラムや各種のデータを記憶する。通信部６９は、ネットワーク４を介して表示制御装置１などの外部の装置と通信を行う。
【００９８】
入出力インターフェース６５に接続されているドライブ７０は、磁気ディスク、光ディスク、光磁気ディスク、あるいは半導体メモリなどのリムーバブルメディア７１が装着されたとき、それらを駆動し、そこに記録されているプログラムやデータなどを取得する。取得されたプログラムやデータは、必要に応じて記憶部６８に転送され、記憶される。
【００９９】
図１０は、提供装置５２の機能構成例を示すブロック図である。図１０に示す機能部のうちの少なくとも一部は、図９のCPU６１により所定のプログラムが実行されることによって実現される。
【０１００】
図１０に示されるように、提供装置５２においては、指定情報生成部８１と提供部８２が実現される。
【０１０１】
指定情報生成部８１は、管理者による入力に応じて、図３に示されるような各種の情報が記述される指定情報を生成し、生成した指定情報を提供部８２に出力する。
【０１０２】
例えば、指定情報の雛形があらかじめ用意されており、指定情報生成部８１においては、管理者により入力されたコンテンツID、CMID、重畳方式（表示位置を指定するコード、表示タイミングを指定するタイムコードなど）が雛形の所定の位置に組み込まれて指定情報が生成される。CMの対象ユーザを表す属性情報を生成するための情報も、適宜、管理者により入力される。
【０１０３】
提供部８２は、指定情報生成部８１により生成され、供給された指定情報を放送装置５１に出力し、放送装置５１を介して指定情報を表示制御装置１に提供する。
【０１０４】
次に、図１１のフローチャートを参照して、以上のような構成を有する提供装置５２の処理について説明する。
【０１０５】
ステップＳ１１において、指定情報生成部８１は、管理者による入力に応じて指定情報を生成し、生成した指定情報を提供部８２に出力する。
【０１０６】
ステップＳ１２において、提供部８２は、指定情報生成部８１により生成され、供給された指定情報を放送装置５１に出力し、放送装置５１を介して指定情報を表示制御装置１に提供する。なお、図８の構成を有するシステムにおいては、指定情報生成部８１により生成された指定情報は、提供部８２により、ネットワーク４を介して表示制御装置１に提供される。
【０１０７】
以上のようにして提供された指定情報に基づいて、表示制御装置１においてはCMの表示が行われる。
【０１０８】
図１２は、以上のようにして映像コンテンツに重畳される形でCMが視聴者に提供されるシステムにより実現されるビジネスモデルの例を示す図である。
【０１０９】
図１２において、視聴者９１は表示制御装置１のユーザであり、表示制御装置１により表示される映像コンテンツやCMを視聴する。CM管理者９２は提供装置５２の管理者であり、視聴者９１（表示制御装置１）に対するCMデータの提供と、指定情報の提供を管理する管理者である。放送事業者９３は放送装置５１の管理者であり、視聴者９１に対する映像コンテンツの提供と、必要に応じて、指定情報、CMデータの提供を行う。
【０１１０】
このビジネスモデルにおいては、例えば、矢印１に示されるように、CM管理者９２から視聴者９１に対してCMデータと指定情報が提供され、矢印２に示されるように、放送事業者９３から視聴者９１に対して映像コンテンツが提供される。
【０１１１】
視聴者９１が有する表示制御装置１においては、CM管理者９２から提供された指定情報とCMデータ、放送事業者９３から提供された映像コンテンツに基づいて、CMを重畳した形の映像コンテンツが表示される。
【０１１２】
映像コンテンツが表示されたとき、矢印３に示されるように、視聴者９１の表示制御装置１からCM管理者９２の提供装置５２に対して、映像コンテンツに重畳して表示されたCMの情報が通知される。この通知は、例えば、ネットワーク４を介して行われ、通知される情報には、CMIDの他に、放映した時刻、地域、対象としたユーザの情報などが含まれる。
【０１１３】
視聴者９１からの通知を受けたCM管理者９２においては、映像コンテンツに重畳して表示させたものとして視聴者９１側から通知されたCM、すなわち、視聴者９１により視聴されたCMの依頼者である企業の情報が、矢印４に示されるように、CM管理者９２から放送事業者９３に通知される。どのCMの提供をどの企業が依頼したのかは、CM管理者９２により管理されている。
【０１１４】
CM管理者９２からの通知を受けた放送事業者９３においては、CM依頼者である企業に対して、視聴者９１にCMを視聴させたことに対する対価（代金）が求められ、それに応じて、矢印５に示されるように、企業から放送事業者９３に代金が支払われる。
【０１１５】
例えばこのようなビジネスモデルによって、放送事業者９３は、適切な広告料を企業側から徴収することが可能となる。
【０１１６】
以上においては、放送される映像コンテンツや、ネットワーク４を介して配信される映像コンテンツにCMを重畳させる場合について主に説明したが、CMを重畳させることは、ペイパービューの映像コンテンツや、DVDなどのパッケージ化された映像コンテンツを対象とする場合でも可能である。
【０１１７】
例えば、外部機器であるDVDプレーヤにより再生され、表示制御装置１に供給された映像コンテンにコンテンツIDが設定されている場合、表示制御装置１は、その映像コンテンツに関する指定情報から、CMを重畳させるときに用いる指定情報を取得することができ、取得した指定情報により指定されるCMを、指定される重畳方式にしたがって映像コンテンツに重畳させることができる。
【０１１８】
また、以上においては、指定情報やCMデータは、映像コンテンツの再生がユーザにより指示される前に、表示制御装置１のDB２３にあらかじめ記憶されているものとしたが、映像コンテンツの再生が指示されたタイミングで、再生が指示された映像コンテンツに関する指定情報やCMのデータがネットワーク４に接続される所定のサーバから取得されるようにしてもよい。指定情報やCMデータの取得は、再生が指示された映像コンテンツのコンテンツIDに基づいて行われる。
【０１１９】
さらに以上においては、映像コンテンツに重畳させた形でCMがユーザに提示されるものとしたが、CMの提示の仕方はこれに限られるものではなく、映像コンテンツの再生にあわせて行われるものであれば、どのような形で提示されるようにしてもよい。この場合、重畳方式に替えて、CMの出力方式が指定情報により指定されることになる。
【０１２０】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１２１】
コンピュータにインストールされ、コンピュータによって実行可能な状態とされるプログラムを格納するプログラム記録媒体は、図９に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア７１、または、プログラムが一時的もしくは永続的に格納されるROM６２や、記憶部６８を構成するハードディスクなどにより構成される。プログラム記録媒体へのプログラムの格納は、必要に応じてルータ、モデムなどのインターフェースである通信部６９を介して、ローカルエリアネットワーク、インターネット、デジタル衛星放送といった、有線または無線の通信媒体を利用して行われる。
【０１２２】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１２３】
また、本明細書において、システムとは、複数の装置により構成される装置全体を表すものである。
【図面の簡単な説明】
【０１２４】
【図１】本発明の一実施形態に係る表示制御装置のハードウエア構成例を示すブロック図である。
【図２】表示制御装置の機能構成例を示すブロック図である。
【図３】指定情報の例を示す図である。
【図４】映像コンテンツの表示画面の例を示す図である。
【図５】映像コンテンツの表示画面の他の例を示す図である。
【図６】表示制御装置の処理について説明するフローチャートである。
【図７】提供装置を含むシステム構成の例を示す図である。
【図８】提供装置を含むシステム構成の他の例を示す図である。
【図９】提供装置のハードウエア構成例を示すブロック図である。
【図１０】提供装置の機能構成例を示すブロック図である。
【図１１】提供装置の処理について説明するフローチャートである。
【図１２】ビジネスモデルの例を示す図である。
【符号の説明】
【０１２５】
１  表示制御装置，  ２  ディスプレイ，  １４  フロントエンド，  １５  記憶装置，  １６  バックエンド，  ２１  指定情報取得部，  ２２  CMデータ取得部，  ２３  DB，  ２４  表示データ生成部，  ２５  受付部，  ５１  放送装置，  ５２  提供装置，  ８１  指定情報生成部，  ８２  提供部
【図１】
2007150946.tif 000003
【図２】
2007150946.tif 000004
【図３】
2007150946.tif 000005
【図４】
2007150946.tif 000006
【図５】
2007150946.tif 000007
【図６】
2007150946.tif 000008
【図７】
2007150946.tif 000009
【図８】
2007150946.tif 000010
【図９】
2007150946.tif 000011
【図１０】
2007150946.tif 000012
【図１１】
2007150946.tif 000013
【図１２】
2007150946.tif 000014